(57)【要約】【課題】一つの冷凍サイクルの中に並列接続されている複数台のロータリー圧縮機を同時に始動するときの始動電流の重畳を防ぎながら始動性の確保が出来る空気調和機を提供する。【解決手段】一つの冷凍サイクルの中に並列接続されている複数台のロータリー圧縮機の各圧縮機に接続される吐出側配管経路に圧縮機から排出する方を流れ方向とする逆止弁をもうけ、さらに各圧縮機に接続される吸入側配管経路に圧縮機に流入する方を流れ方向とする逆止弁をもうけることにより  先に圧縮機が起動したときに生じる吸入側と吐出側の圧力差を停止している圧縮機の吸入側、吐出側に伝えず確実に始動が出来るようにしている。【選択図】図１
2006029604.tif 000002
【特許請求の範囲】
【請求項１】
一つの冷凍サイクルの中に複数台のロータリー圧縮機が並列接続されており、各圧縮機に接続される吐出側配管経路に圧縮機から排出する方を流れ方向とする逆止弁をもうけ、さらに各圧縮機に接続される吸入側配管経路に圧縮機に流入する方を流れ方向とする逆止弁をもうけた空気調和機。
【請求項２】
逆止弁をスプリング内蔵で通常閉じられるタイプのものとした請求項１に記載の空気調和機。
【発明の詳細な説明】
【技術分野】
【０００１】
この発明は一つの冷凍サイクルの中に複数台の圧縮機が並列接続されている空気調和機の配管構成に係り、特に運転台数増加するときの始動時の不具合を解消する空気調和機に関するものである。
【背景技術】
【０００２】
近年、生活レベル及び施工性の向上により省スペース化が図られ、建物全体の空気調和を可能にする要求が高まり、それに伴い複数台の圧縮機を並列に接続して室外機の容量を大きくしているものが少なくない。
【０００３】
これら複数台の圧縮機を並列に並べた室外機を有する空気調和機の例としては特許文献１記載のものが有る。これら従来の複数台の圧縮機を並列に並べた室外機を有する空気調和機では、圧縮機の吐出側に逆止弁をもうけ冷媒の停止側に溜まり込むのを防いでいるが、吸入側には特に逆止弁はもうけていない。一般に圧縮機を始動する場合始動電流として大きな電流が流れるので２台運転する場合には始動タイミングをずらし２台の始動電流が重ならないようにしている。
【特許文献１】特開平１０−０１９３９７号公報
【発明の開示】
【発明が解決しようとする課題】
【０００４】
しかしこのような構成の場合、先に圧縮機を始動したときに低圧圧力が下がり後で始動する圧縮機の吸入側と吐出側に差圧が生じ後で始動する圧縮機が始動不良を起こしたり、またその起動不良を防ぐために始動の時間差を小さくすると始動電流の重なりを防ぎきれない問題を抱えていた。この課題は、圧縮機の台数が増えるにつれてますます解決が困難になってくる。
【０００５】
本発明は上記課題に鑑みて、ルームエアコンで一般的に使われているロータリ圧縮機を使いながら複数台の圧縮機を同時に始動する場合、始動電流の重なりを防ぎながら確実に始動することが出来る空気調和機を提供すること目的とする。
【課題を解決するための手段】
【０００６】
本発明に係る空気調和機は、一つの冷凍サイクルの中に並列接続されている複数台のロータリー圧縮機の各圧縮機に接続される吐出側配管経路に、圧縮機から排出する方を流れ方向とする逆止弁をもうけ、さらに各圧縮機に接続される吸入側配管経路に圧縮機に流入する方を流れ方向とする逆止弁をもうけている。
【０００７】
このような構成により、先に圧縮機が起動したときに生じる吸入側と吐出側の圧力差を、停止している圧縮機の吸入側、吐出側に伝えず確実に始動が出来るようにしている。
【０００８】
さらに、逆止弁をスプリング内蔵で通常閉じられるタイプとすることにより、停止中冷凍サイクルに対し閉じられるので長期停止中に冷媒が圧縮機のオイルにとけ込むのをふせいでいる。
【発明の効果】
【０００９】
本発明の空気調和機は、一つの冷凍サイクルの中に並列接続されている複数台のロータリー圧縮機の各圧縮機に接続される吐出側配管経路に圧縮機から排出する方を流れ方向とする逆止弁をもうけ、さらに各圧縮機に接続される吸入側配管経路に圧縮機に流入する方
を流れ方向とする逆止弁をもうけることにより、先に圧縮機が起動したときに生じる吸入側と吐出側の圧力差を、停止している圧縮機の吸入側、吐出側に伝えず確実に始動が出来るという効果がある。
【００１０】
さらに、逆止弁をスプリング内蔵で通常閉じられるタイプとすることにより、停止中冷凍サイクルにたいし閉じられるので長期停止中に冷媒が圧縮機のオイルにとけ込むのをふせぐことが出来る。
【発明を実施するための最良の形態】
【００１１】
以下、この発明の実施の形態を図面を参照しながら説明する。
【００１２】
（実施の形態１）
図１は本発明の１実施例の冷凍サイクルを示す図であり、冷房運転時の冷媒の流れの順に構成を説明すると圧縮機１，１ａで圧縮された冷媒はそれぞれ吐出管にもうけられた逆止弁３，３ａを通過しそれぞれの吐出管の合流部４で合流しオイルセパレータ５に入る。オイルセパレータ５でオイル分離された冷媒は、４方弁６を通って室外熱交換器７には入り凝縮し液冷媒となり膨張弁８で減圧され、接続配管を伝って室内機側にみちびかれ室内熱交換器９で蒸発する。室内熱交換器９で蒸発した気体冷媒は接続配管により室外側に導かれ、４方弁６を通ってサブアキュームレータ１０にはいって気液分離され、分岐部１１でそれぞれの圧縮機１，１ａのアキュームレータ２，２ａに接続されている吸入管の途中にもうけられた逆止弁１２，１２ａを通って圧縮機１，１ａに帰っていく。オイルセパレータ５で分離されたオイルは４方弁６とサブアキュームレータ１０の間の配管に戻される。
【００１３】
上記のように構成された冷凍サイクルにおいて２台始動時の動作を説明すると、２台の圧縮機が停止し圧力がバランスしている状態から圧縮機１のみが運転すると、逆止弁３，１２はそれぞれ流通方向なので開状態となり冷媒が吸入側から吐出側に送られ吐出側の合流部４の圧力は上がり、吸入側の分岐部１１の圧力は下がる。一方まだ停止状態の圧縮機１ａの側では逆止弁３ａの前後で合流部４の圧力が圧縮機１ａの圧力より高くなる差圧が生じ逆止弁３ａは閉じた状態になる。また、逆止弁１２ａの前後で分岐部１１の圧力がアキュームレータ２ａの圧力より低くなり逆止弁１２ａも閉じた状態になる。すなわち圧縮機１ａの吐出口、吸入口は圧縮機１の始動前の状態が維持され、圧力はバランスされており始動可能状態が保持される。次に圧縮機１が確実に始動して始動電流が重ならないタイミングで圧縮機１ａを始動する。このとき圧縮機１ａの吐出側、吸入側は圧力バランス状態が保持されているので確実に始動することができる。
【００１４】
さらに逆止弁３，３ａ，１２，１２ａをスプリング内蔵で通常閉じられるタイプのものとすると、停止室の圧力バランス維持が確実に出来るようになるとともに、圧縮機がすべて停止しているシステムが停止しているときに冷媒が圧縮機内部のオイルに溶け込むのを防ぐことが出来、オイルが冷媒で薄められ潤滑性能を低下することを防ぐことが出来る。
【産業上の利用可能性】
【００１５】
以上のように、本発明にかかる空気調和機は吸入側と吐出側の圧力差を、停止している圧縮機の吸入側、吐出側に伝えず確実に始動が出来、さらに逆止弁をスプリング内蔵で通常閉じられるタイプとすることにより、停止中冷凍サイクルにたいし閉じられるので長期停止中に冷媒が圧縮機のオイルにとけ込むのをふせぐことがが可能となるので、一つの冷凍サイクルの中に複数台の圧縮機が並列接続されている空気調和システム等の用途に適用できる。
【図面の簡単な説明】
【００１６】
【図１】本発明の実施の形態における空気調和機の冷凍サイクルを示す図
【符号の説明】
【００１７】
１、１ａ  圧縮機
３、３ａ  吐出側逆止弁
４  吐出管合流部
５  オイルセパレータ
６  ４方弁
７  室外熱交換器
８  膨張弁
９  室内熱交換器
１０  サブアキュームレータ
１１  吸入管分岐部
１２、１２ａ  吸入側逆止弁
【図１】
2006029604.tif 000003